(57)【要約】【課題】従来の電気光変調器は、費用効率が悪く、商品への適用を満たさない。【解決手段】基板と、基板上の第１の電極と、第１の電極上の第２の電極と、第１及び第２の電極の間の変調構造とを備え、前記第１及び第２の電極は、第１及び第２の電極の間に電界を発生でき、そして、前記変調構造は、電界の制御下で反射モードと透過モードの一方で動作する少なくとも１つの液晶セルを含む。【選択図】図１Ａ
2008040446.tif 000002
【特許請求の範囲】
【請求項１】
基板と、
基板上の第１の電極と、
第１の電極上の第２の電極と、
第１及び第２の電極の間の変調構造とを備え、
前記第１及び第２の電極は、第１及び第２の電極の間に電界を発生でき、そして、前記変調構造は、電界の制御下で反射モードと透過モードの一方で動作する少なくとも１つの液晶セルを含むことを特徴とする電気光変調器。
【請求項２】
液晶セルは、液晶分子および細粒の混合である請求項１記載の変調器。
【請求項３】
液晶セルは、液晶分子、細粒および染料の混合である請求項１記載の変調器。
【請求項４】
液晶セルと第２の電極との間に、液晶セルを透過した光を吸収できる層を更に備える請求項１記載の変調器。
【請求項５】
液晶セルと第２の電極との上に、液晶セルを透過した光を吸収できる層を更に備える請求項１記載の変調器。
【請求項６】
液晶セルと第２の電極との間に、液晶セルを透過した光を反射できる層を更に備える請求項１記載の変調器。
【請求項７】
液晶セルと第２の電極との上に、液晶セルを透過した光を反射できる層を更に備える請求項１記載の変調器。
【請求項８】
変調構造は多数の変調ユニットを含み、そして、液晶セルは、多数の変調ユニットの一つに対応する多数のセルユニットを含む請求項１記載の変調器。
【請求項９】
液晶セルは多数のセルユニットを含み、そして、第２の電極は、互いに平行に延在する多数のサブの電極を含み、多数のセルユニットの各々は、第２の電極の複数のサブの電極の一つに対応する請求項１記載の変調器。
【請求項１０】
第１の電界を適用できる第１の電極対と、
第１の電極対の２つの電極間にあり、第１の電界の制御下で反射モードと透過モードの一方で動作できる第１の液晶セルと、
第１の液晶セル上にあり、第２の電界を適用できる第２の電極対と、および
第２の電極対の２つの電極の間にあり、第２の電界により、制御され得る第２の液晶セルとを備えることを特徴とする電気光変調器。
【請求項１１】
第１の偏光子と、
第１の偏光子と、第１の電極対との間の第１の基板と、
第２の偏光子と、および
第２の偏光子と、第２の電極対との間の第２の基板とを更に備える請求項１０記載の変調器。
【請求項１２】
第２の液晶セルは、垂直に整列したモードの液晶分子および、撚り合わされたネマチック液晶分子の一方を含む請求項１０記載の変調器。
【請求項１３】
第１の基板と、
第１の電極対と第２の電極対の間の第１の基板の上の第２の基板と、
第１の基板と第２の電極対の間の第１の偏光子と、
第２の基板上の第３の基板と、および
第３の基板と第２の電極対との上の第２の偏光子とを更に備える請求項１０記載の変調器。
【請求項１４】
第２の液晶セルは、第２の電界の制御下で等方性モードと異方性のモードの一方で作動することができる請求項１０記載の変調器。
【請求項１５】
第１の液晶セルは多数のセルユニットを含み、そして、第２の電極対の一つは、互いに平行に延在する多数のサブの電極を含み、多数のセルユニットの各々は、多数のサブの電極の一つに対応する請求項１０記載の変調器。
【請求項１６】
第１の電界を適用できる第１の電極対と、
第１の電極対の２つの電極間にあり、第１の電界の制御下で反射モードと透過モードの一方で動作できる第１の液晶セルを含む第１の変調構造と、
第１の液晶セル上にあり、第２の電界を適用できる第２の電極対と、および、
第２の電極対の２つの電極の間にあり、第２の電界の制御下で等方性モードと非等方性モードの一方で動作できる第２の変調構造とを備えることを特徴とする電気光変調器。
【請求項１７】
第１の偏光子と、
第１の偏光子と、第１の電極対との間の第１の基板と、
第２の偏光子と、および
第２の偏光子と、第２の電極対との間の第２の基板とを更に備える請求項１６記載の変調器。
【請求項１８】
基板と、
第１の電極対と第２の電極対の間の第１の基板の上の第２の基板と、
第１の基板と第２の電極対の間の第１の偏光子と、
第２の基板上の第３の基板と、および
第３の基板と第２の電極対との上の第２の偏光子とを更に備える請求項１６記載の変調器。
【請求項１９】
第１の液晶セルは多数のセルユニットを含み、そして、第１の電極対の一つは、互いに平行に延在する多数のサブの電極を含み、多数のセルユニットの各々は、多数のサブの電極の一つに対応する請求項１６記載の変調器。
【請求項２０】
第２の液晶セルは、多数のセルユニットを含み、そして、第２の電極対の一つは、互いに平行に延在する多数のサブの電極を含み、多数のセルユニットの各々は、多数のサブの電極の一つに対応する請求項１６記載の変調器。
【発明の詳細な説明】
【技術分野】
【０００１】
この発明は一般に、ディスプレイ装置に関し、特に液晶電気光変調器と光の変調方法に関する。
【背景技術】
【０００２】
情報技術が発展し続けるので、電子署名、電子タグ、電子予約およびスマートカードなどの商品応用における光変調についての要求が近年増大している。
【発明の開示】
【発明が解決しようとする課題】
【０００３】
費用効率がよく、商品への適用を満たす電気光変調器を持つことは望ましい。
【課題を解決するための手段】
【０００４】
この発明に関する例は、電気光変調器と光の変調方法を提供する。
【０００５】
この発明に関する例は、電気光変調器を提供し、その電気光変調器は、
基板と、基板上の第１の電極と、第１の電極上の第２の電極と、および、第１及び第２の電極の間の変調構造とを備え、前記第１及び第２の電極は、第１及び第２の電極の間に電界を発生でき、そして、前記変調構造は、電界の制御下で反射モードと透過モードの一方で動作する少なくとも１つの液晶セルを含む。
【０００６】
この発明に関する例は、電気光変調器を提供し、その電気光変調器は、
第１の電界を適用できる第１の電極対と、
第１の電極対の２つの電極間にあり、第１の電界の制御下で反射モードと透過モードの一方で動作できる第１の液晶セルと、
第１の液晶セル上にあり、第２の電界を適用できる第２の電極対と、および
第２の電極対の２つの電極の間にあり、第２の電界により、制御され得る第２の液晶セルとを備える。
【０００７】
この発明に関する例は、電気光変調器を提供し、その電気光変調器は、
第１の電界を適用できる第１の電極対と、
第１の電極対の２つの電極間にあり、第１の電界の制御下で反射モードと透過モードの一方で動作できる第１の液晶セルを含む第１の変調構造と、
第１の液晶セル上にあり、第２の電界を適用できる第２の電極対と、および、
第２の電極対の２つの電極の間にあり、第２の電界の制御下で等方性モードと非等方性モードの一方で動作できる第２の変調構造とを備える。
【０００８】
この発明に関する例は、光変調の方法を提供し、その方法は、
電極対を備える変調器を与え、
電極対と、第１のモードおよび第２のモードの一方で動作できる変調構造で形成された液晶セルとの間の構造を変調し、
第１のモードで液晶セルを動作させ、
電極対の間に電界を適用し、そして
液晶セルほほ第１のモードから第２のモードへ切り替えることを備える。
【０００９】
また、この発明に関する例は、変調器を提供することを備える光変調方法を提供するかもしれず、前記変調器は、
第１の電極対と、
第１の電極対の間に形成され、反射モードおよび透過モードの一方で動作できる第１の液晶セルと、
第１の液晶セル上に形成された第２の電極対と、
第２の電極対の間に形成された第２の液晶セルとを備え、
第１の液晶セルを、反射モードおよび透過モードの一方で動作させ、そして、第１の電極対または第２の電極対の少なくとも一方に電界を適用する。
【００１０】
この発明に関する幾つかの例は、光変調の方法を提供し、その方法は、
第１の電極対と、第１の電極対の間に形成され、反射モードおよび透過モードの一方で動作できる第１の液晶セルと、第１の液晶セル上の形成された第２の電極対と、および、
第２の電極対の間に形成され、等方性モードと非等方性モードの一方で動作できる第２の液晶セルとを含む変調器を備え、
第１の液晶セルを反射モードおよび透過モードの一方で動作させ、
第２の液晶セルを等方性モードと非等方性モードの一方で動作させ、そして、
第１の電極対または第２の電極対の少なくとも一方で電界を適用することを備える。
【００１１】
以上の一般的な説明および以下の詳細な説明は、単に例示的なものであり、本発明を限定するものではないことが理解されよう。
【発明の効果】
【００１２】
この発明によれば、費用効率がよく、商品への適用を満たす電気光変調器を提供できる。
【発明を実施するための最良の形態】
【００１３】
以上の概要並びにこの発明の以下の詳細な説明は、添付図面を参照することによってよりよく理解されるであろう。発明を示す目的のために、図面で、発明と一致した例が示される。しかしながら、この発明は、図示した正確なおよび説明に限定されないことが理解されよう。
【００１４】
この発明の実施例について、以下詳細に説明し、その発明の実施例は、添付図面に図示される。可能な限り、同じ参照番号は、図面を通じて同じ部分を指す。
【００１５】
図１Ａから１Ｄは、この発明の実施例を示す電気光変調器10-1 から 10-4の縦断面図を示す。図１Ａを参照すると、電気光変調器10-1は、基板11、第１の導電層12-1、変調構造13-1、液晶セル14 および、第２の導電層12-2を含む。板11 は、光学的に透明であり、ポリエチレンテレフタート(PET)、ポリカーボネイト(PC)およびポリエステルサルフォン(PES)のような重合体からから形成されていてもよい。１実施例では、基板11の厚さき、ほぼ 125 μmであり、この値は種々の適用において変化する。基板 11上に形成される第１の導電層12-1は、電気光変調器10-1 の第１の電極として作用する。第１の導電層 12-1 は、およそ0.1から0.2μmの厚さのインジウム酸化スズ(ITO)かインジウム酸化亜鉛(IZO)または、いくつかの例でおよそ1μmの厚みを持っている導電性高分子の層のごとき透明体の導電層である。変調構造13-1は、多くの変調ユニット130を含み、フィッシュゲルや写真ゲルなどの高分子材料で作られる。変調構造13-1の高さは、１つの例では、およそ5から15μmの範囲である。液晶セル14は、多くのセルユニット14-1を含み、その各々は、液晶分子15と細粒16の混合物を含むかもしれない。セルユニット14-1の中における細粒16の重さの割合はおよそ0.1%から20%まで及ぶ。多数のセルユニット14-1の各々は、多数の変調ユニット130の一つに対応する。明確に、変調ユニット130 の各々は、多数のセルユニット14-1の一つをカプセル化するか閉じ込める容器として機能する。変調構造13-1の上に形成された第２の導電層12-2は、電気光変調器10-1の第２の電極として役立つ。第２の導電層12-2は、第１の導電層12-1に似た材料を含み、そして第１の導電層12-1と実質的に同じ厚みを持つ。
【００１６】
この実施例では、変調構造13-1は、従来のマイクロカプセル化のプロセスで形成され、それは、重合体壁内で液晶分子と細粒の小滴をカプセル化する。
【００１７】
図１Ｂを参照すると、 電気光変調器10-2は、変調構造13-2を除き、図１Ａで例証された電気光変調器10-1に似た構造を含む。その変調構造13-2は、多くの重合体バンク131と、多数の重合体バンク131の上に形成されたシール層132を含む。多数の重合体バンク131およびシール層132の各々は、多数のセルユニット14-1の１つに対応する変調ユニット(付番されない)を定義する。変調構造13-2は、従来の写真製版かモールドプロセスで形成されてもよい。
【００１８】
図１Ｃを参照すると、電気光変調器10-3は、変調構造13-3を除き、図１Ａで例証された電気光変調器10-1に似た構造を含む。その変調構造13-3は、多くの重合体壁133を含む。それぞれ、多数の重合体壁133および第２の導電層12-2の各々は、多数のセルユニット14-1の１つに対応する変調ユニット(付番されない)を定義する。変調構造13-3は、従来のフォト発生の相分離プロセスで形成されてもよい。
【００１９】
図１Ｄを参照すると、電気光変調器10-4は、変調構造13-4を除き、図１Ａで例証された電気光変調器10-1に似た構造を含む。変調構造13-4は、多くの変調ユニット134を含む。変調構造13-4は、従来の界面ポリマー化プロセスで形成されてもよい。
【００２０】
図２Ａから２Ｃは、それぞれこの発明に関する例に一致する電気光変調器を操作するための方法を例証する図である。図２Ａを参照すると、図１Ａで示した電気光変調器10-1の例として、液晶分子15は、第１のパターンに方位し、入射光線は反射される。特に、例えば、背面光源から基板11への入射光線は、液晶セル14によって反射される。同様に、例えば、周囲の光源から第２の導電層12-2への入射光線は液晶セル14によって反射される。電気光変調器10-1は、反射的なモードで作動すると言われる。液晶分子15は、図１Ａと２Ａで例証されるように、細粒16の回りに集まることが必ずしも必要ではない。また、液晶セル14に入射光線を反射させるのを可能にする他のパターンも可能である。
【００２１】
図２Ｂを参照すると、電気光変調器20-1は、液晶分子15が第２のパターンで整列することを除き、図２Ａで例証された電気光変調器10-1と同様の構造を含み、この場合、入射光は液晶セル14を通過する。その電気光変調器20-1は、透過モードで作動すると言われる。動作時、第１導電層12-1と第２の導電層12-2の間に適した電界を適用することによって、図２Ａで例証された変調器10-1のような反射モード変調器は、図２Ｂで例証された変調器20-1のような透過モード変調器に切り換えることができ、その逆もまた同様である。電気光変調器10-1と20-1は、図１Ａおよび１Ｂでそれぞれ例証し、したがって、双安定の特性を示し、つまり、電界のような外部のソースが除去された時、電気光変調器は、第１および第２の安定状態のいずれか一方で動作する。この実施例では、第１の状態は反射モードを示し、そして、第２状態は透過モードを示し、そして、逆もまた同様である。この発明に一致した１実施例では、電界は、マイクロメータあたり数Ｖからマイクロメータあたり数十Ｖの範囲である。電界は、第１の導電層12-1と第２の導電層12-2に、異なった振幅の電圧信号を適用するか、または異なった周波数の電圧信号を適用することによって、作成されてもよい。
【００２２】
図２Ｃを参照すると、電気光変調器20-2は、液晶セル24、第２の導電層22-1、およ第３の導電層22-2が、第２の導電層22-1から分離していることを除いて、図２Ａで例証された電気光変調器10-1と同様の構造を含む。液晶セル24は、反射モードのセルユニット24-1と透過モードのセルユニット24-2を含む。動作時、それぞれの反射モードのセルユニット24-1は、第１の導電層12-1と第２の導電層22-1との間に第１の電界を適用することによって、透過モードに切り換えることができる。同様に、それぞれの透過モードのセルユニット24-2は、第１の導電層12-1と第３の導電層22-2との間に第２の電界を適用することによって、反射モードに切り換えることができる。当業者は、第１の導電層12-1が第１の方向に広がり、一方、第２の導電層22-1と第３の導電層22-2が、実質的に第１の方向と直交した第２の方向に広がることを理解されよう。その上、当業者は、それぞれ図1Ｂ，１Ｃおよび１Ｄで図示された変調構造13-2、13-3、および13-4も、変調構造13-1と同様に、電気光変調器20-1と20-2で使用されてもよいことが理解されよう。
【００２３】
図３Ａは、この発明に関する別の例と一致する電気光変調器30-1の横断面図である。図３Ａを参照すると、光吸収層31を除いて、図２Ｃで例証された電気光変調器20-2と同様の構造を含む。液晶セル24と第２の導電層22-1と第３の導電層22-2との間に配置された光吸収層31は、液晶セル24、特にセルユニット24-2を通過した光を吸収できる。別の例では、光吸収層31は、第２の導電層22-1と第３の導電層22-2の上に配置され、導電層22-1と22-2は、液晶セル24と光吸収層31の間で積層される。
【００２４】
図３Ｂは、この発明に関する更に別の実施例と一致する電気光変調器30-2の横断面を示す。図３Ｂを参照すると、液晶セル34を除いて、図２Ｃで例証された電気光変調器20-2と同様の構造を含む。液晶セル34は、セルユニット34-1内に多くの二色性の染料17を含む。そのセルユニット34-1は、液晶セル34を通して伝わる光を吸収でき、他方、二色性の染料17なしでは、反射モードで機能する。
【００２５】
電気光変調器30-2はさらに、第１の導電層22-1と第２の導電層22-2の上に配置された反射鏡32を含む。その反射鏡32は、液晶セル34および特にセルユニット24-2を伝わる光を反射することができる。別の例では、反射鏡32は、導電層22-1, 22-2と、液晶セル34との間に配置される。
【００２６】
図４Ａは、この発明に関する例と一致する電気光変調器40-1の横断面を示す。図４Ａを参照すると、電気光変調器40-1は、図１Ａで例証された電気光変調器10-1に似た第１の変調器および第２の変調器45を含む。第１の変調器10-1は、第１の基板11、第１の電極12-1、変調構造13-1、第１の液晶セル14および第２の電極12-2を含む。電気光変調器40-1のパネルとして機能する変調器45は、第１の変調器10-1と積層されてもよい。第２の変調器45は、第２の基板41-1、第１の偏光子47-1、第３の電極42-1、スペーサ43、第４の電極42-2、第５の電極42-3、第２の液晶セル44、第２の偏光子47-2、および第３の基板41-2を含む。
【００２７】
図４Ｂは、この発明に関する別の例と一致する電気光変調器40-2の横断面を示す。図４Ｂを参照すると、電気光変調器40-2は、第１の変調器46と、第２の変調器48を含む。第１の変調器46は、第１の基板11を第１の電極12-1で積層するために配置された第１の偏光子47-1を除いて、図１Ａで例証された電気光変調器10-1に似る。第２の変調器48は、第２の電極12-2、セパレータ43、第４の電極42-2、第５の電極42-3、第２液晶セル44、第２の偏光子47-2、および第３の基板41-2を含む。
【００２８】
図５Ａは、図４Ａで例証された電気光変調器40-1を操作するための方法を例証する図である。第２の液晶セル44が、垂直に配列された(VA)モードパネルであり、かつ、どんな電界も第３の電極42-1と第５の電極42-3の間で適用されていないと仮定した図５Ａを参照すると、第２の偏光子47-2と第２の液晶セル44を透過して、第３の41-2に入射する光線は、第１の偏光子47-1によって妨げられる。比較として、電界が第３の電極42-1と第４の電極42-2との間で適用されるなら、第２の液晶セル44内の液晶分子の方位を変え、第２の液晶セル44を透過して第３の基板41-2に入射する光線は、反射モードとして機能する第１の液晶セル14手術で反射される。反射光は、第２の液晶セル44を通して、第３の基板41-2でのビューアー55へ透過する。
【００２９】
図５Ｂは、図４Ａで例証された電気光変調器40-1を操作するための別の方法を例証する図である。図５Ｂを参照すると、第１の電界は、第１の変調器10-1を透過モードに切り換えるために、第１の電極12-1と第２の電極12-2との間に適用される。電界が第３の電極42-1と第５の電極42-3との間に全く適用されないなら、第１の液晶セル14、第１の偏光子47-1、および第２の液晶セル44を伝わり、第１の基板11に入射する光は、第２の偏光子47-2によって妨げられる。比較として、第２の電界が、第３の電極42-1と第４の電極42-2との間に適用されるなら、第２の液晶セル44内の液晶分子の方位を変え、第１の基板11での入射光は、第１の液晶セル11および第２の液晶セル44を透過して、第３の基板41-2でのビューアー55に伝わる。
【００３０】
図５Ｃは、この発明に関する例と一致する 電気光変調器50を操作するための方法を例証する。電気光変調器50は、撚り合わされたネマチック(TN)のモードである第２の変調器56を除いて、図５Ａで例証された電気光変調器40-1に似る。動作時、電界が全く第３の電極42-1と第５の電極42-3との間に適用されないなら、第２の偏光子47-2および第２の液晶セル54を透過する第３の基板41-2への入射光線は、第１の偏光子47-1によって妨げられる。比較として、電界が第３の電極42-1と第４の電極42-2との間に適用されるなら、第２の液晶セル54内の液晶分子の方位を変え、第２の液晶セル54を透過する第３の基板41-2への入射光は、反射モードとして機能する第１の液晶セル14により反射される。反射光は、第２の液晶セル54を通し基板41-2でのビューアー55へ伝わる。
【００３１】
図５Ｄは、図５Ｃで示した電気光変調器50を操作するための別の方法を例証する図である。図５Ｄを参照すると、第１の電界は、第１の変調器10-1を透過モードに切り換えるために、第１の電極12-1と第２の電極12-2との間に適用される。電界が全く第３の電極42-1と第５の電極42-3との間に適用されないなら、第１の基板11での入射光は、第１の液晶セル14を透過し、第１の偏光子47-1と第２の液晶セル54は、第２の偏光子47-2によって妨げられる。比較として、第２の電界が、第３の電極42-1と第４の電極42-2との間に適用されるなら、第２の液晶セル54内の液晶分子の方位を変え、第１の基板11での入射光は、第１の液晶セル14および第２の液晶セル54を透過して、第３の基板41-2でのビューアー55に伝わる。
【００３２】
図６Ａは、この発明に関する例と一致する電気光変調器60-1の横断面の図である。図６Ａを参照すると、電気光変調器60-1は、図１Ａで例証された電気光変調器10-1と同様の第１の変調器と、第２の変調器65を含む。 第１の変調器10-1は、第１の基板11、第１の電極12-1、第１の変調構造13-1、第１の液晶セル14および第２の電極12-2を含む。電気光変調器60-1のパネルとしてに役立つように機能する第２の変調器65は、第１の変調器10-1と積層されるかもしれない。第２の変調器65は、第２の基板61-1、第１偏光子67-1、第３の電極62-1、第２の変調構造63、第４の電極62-2、第５の電極62-3、第２の液晶セル64、第２の偏光子67-2、および第３の基板61-2を含む。
【００３３】
第１の液晶セル14は、反射モードか透過モードで動作可能である。１つの態様では、第１の液晶セル14は、珪石粒子や正の液晶分子のような無機の細粒を含む。別の態様では、第１の液晶セル14は、ポリスチレンかデビニールベーンゼ(DVB)共重合体粒子や正の液晶分子などの有機的な細粒を含む。第２の液晶セル64は、電界なしで等方性の光学特徴を示し(以下に、「等方性モード」)、または、電界があるとき、異方性の光学特徴、(以下に、「異方性モード」)を示す。等方性のモードでは、液晶分子の光学的性質は、方位から独立する。これに反し、異方性のモードでは、液晶分子の光学的性質は、方向に依存する。１つの態様では、第２の液晶セル64は、カーボンナノチューブ(CNT)粒子と負の液晶分子を含む。もう一つの態様では、第２の液晶セル64は、カーボン60のフローレンス粒子と負の液晶分子を含む。
【００３４】
図６Ｂは、この発明に関する別の例と一致する電気光変調器60-2の横断面の図である。図６Ｂを参照すると、電気光変調器60-2は、第１の変調器66と第２の変調器68を含む。第１の変調器66は、第１の基板11を第１の電極12-1で積層にする第１の偏光子66-1を除き、図１Ａで例証された電気光変調器10-1と同様である。第２の変調器68は、第２の電極12-2、第２の変調構造63、第４の電極62-2、第５の電極62-3、第２の液晶セル64、第２の偏光子67-2、および第３の基板61-2を含む。
【００３５】
図７Ａは、図６Ａで例証された電気光変調器60-1を操作するための方法を例証する図である。図７Ａを参照すると、電界が全く第３の電極62-1と第５の電極62-3との間に適用されないなら、第２の偏光子67-2と第２液晶セル64を透過する第３の基板61-2における入射光線は、第１の偏光子67-1によって妨げられる。比較として、電界が、第２の液晶セル64を等方性モードから異方性モードに切り換えるために、第３の電極62-1と第４の電極62-2との間に適用されるなら、第２の液晶セル64を透過する第３の基板61-2における入射光線は、反射的なモードで動作する第１の液晶セル14で反射される。反射光は、第２の液晶セル64を通して、第３の基板61-2でのビューアー55へ伝わる。
【００３６】
図７Ｂは図６Ａで例証された電気光変調器60-1を操作するための別の方法を例証する図である。図７Ｂを参照すると、第１の電界は、第１の変調器10-1を透過モードに切り換えるために、第１の電極12-1と第２の電極12-2との間で適用される。電界が全く第３の電極62-1と第５の電極62-3との間で適用されないなら、第１の基板11での入射光は、第１の液晶セル14を透過し、第１の偏光子67-1と第２の液晶セル64は、第２の偏光子67-2により、妨げられる。比較として、もし、第２の電界が、第２の液晶セル64を等方性モードから異方性モードに切り換えるために、第３の電極62-1と第４の電極62-2の間に適用されるなら、第１の基板11での入射光は、第１の液晶セル14および第２の液晶セル64を透過して、第３の基板61-2でのビューアー55に伝わる。
【００３７】
この広い発明の概念からそれることなく、上で説明された１つ以上の実施例を変形できることは当業者には理解されるであろう。従って、この発明は、ここで述べた特定の実施例に限定されるものではなく、付記したクレームにより定義されたように、この発明の範囲内で変更をカバーすることが理解されよう。
【００３８】
さらに、この発明のある説明に役立つ実例について説明する際に、この明細書は、特定のステップのシーケンスとしてこの発明の方法および/または、プロセスを提示したかもしれない。しかしながら、方法またはプロセスが、この場所に詳しく説明されたステップの特定の順に依存しないという程度に、この方法またはプロセスが、述べられた特定のシーケンスに制限されるべきものではない。通常の当業者の人が理解できるので、他のシーケンスのステップも可能である。したがって、この明細書に詳しく説明されたステップの階段の順は、クレームの限定として理解するべきではない。さらに、この発明の方法、および/または、プロセスに向けられたクレームは、記載された順のそれらのステップの特性に制限するべきではなく、そして、当業者は、シーケンスが変更されても、この発明の趣旨および範囲内にあることを理解すべきである。
【図面の簡単な説明】
【００３９】
【図１Ａ】この発明に関する実施例に一致する電気光変調器の横断面図
【図１Ｂ】この発明に関する実施例に一致する電気光変調器の横断面図
【図１Ｃ】この発明に関する実施例に一致する電気光変調器の横断面図
【図１Ｄ】この発明に関する実施例に一致する電気光変調器の横断面図
【図２Ａ】この発明に関する実施例に一致する電気光変調器を操作するための方法を示す図
【図２Ｂ】この発明に関する実施例に一致する電気光変調器を操作するための方法を示す図
【図２Ｃ】この発明に関する実施例に一致する電気光変調器を操作するための方法を示す図
【図３Ａ】この発明に関する別の実施例に一致する電気光変調器の横断面図
【図３Ｂ】この発明に関する更に別の実施例に一致する電気光変調器の横断面図
【図４Ａ】この発明に関する実施例に一致する電気光変調器の横断面図
【図４Ｂ】この発明に関する別の実施例に一致する電気光変調器の横断面図
【図５Ａ】図４Ａで示した電気光変調器を操作するための方法を示す図
【図５Ｂ】図４Ａで示した電気光変調器を操作するための別の方法を示す図
【図５Ｃ】この発明に関する実施例に一致する電気光変調器を操作するための方法を示す図
【図５Ｄ】図５Ｃの電気光変調器を操作するための別の方法を示す図
【図６Ａ】この発明に関する実施例に一致する電気光変調器の横断面図
【図６Ｂ】この発明に関する別の実施例に一致する電気光変調器の横断面図
【図７Ａ】図６Ａの電気光変調器を操作するための方法を示す図
【図７Ｂ】図６Ａの電気光変調器を操作するための別の方法を示す図
【符号の説明】
【００４０】
電気光変調器：10
第１の導電層：12-1
第２の導電層：12-2
基板：11
変調ユニット：130
液晶セル：14
セルユニット：14-1
電気光変調器：10-1
液晶セル：14
液晶分子：15
細粒：16
染料：17
光吸収層：31
反射鏡：32
スペーサ：43
第２の変調器：45
第１の偏光子：47-1
第２の偏光子：47-2
ビューアー：55
【図１Ａ】
2008040446.tif 000003
【図１Ｂ】
2008040446.tif 000004
【図１Ｃ】
2008040446.tif 000005
【図１Ｄ】
2008040446.tif 000006
【図２Ａ】
2008040446.tif 000007
【図２Ｂ】
2008040446.tif 000008
【図２Ｃ】
2008040446.tif 000009
【図３Ａ】
2008040446.tif 000010
【図３Ｂ】
2008040446.tif 000011
【図４Ａ】
2008040446.tif 000012
【図４Ｂ】
2008040446.tif 000013
【図５Ａ】
2008040446.tif 000014
【図５Ｂ】
2008040446.tif 000015
【図５Ｃ】
2008040446.tif 000016
【図５Ｄ】
2008040446.tif 000017
【図６Ａ】
2008040446.tif 000018
【図６Ｂ】
2008040446.tif 000019
【図７Ａ】
2008040446.tif 000020
【図７Ｂ】
2008040446.tif 000021